(57)【要約】      （修正有）【課題】筋肉の痛みや腫脹等を感じる疾患部やこれに対応するツボに貼着させて疾患を治療する絆創膏において、積極的に治癒現象を促進する治療効果の高い絆創膏を提供する。【解決手段】粘着シート1の貼着面の一部に、シリコン加工部2を設けた。シリコン加工部は、シリコン樹脂が塗布されて、つるつるした平滑面が形成されていることから、被貼着部のうち、シリコン加工部によって被覆されている部分には、平滑面の滑らかな感触が刺激として与えられる。【選択図】図１
2005348766.tif 000002
【特許請求の範囲】
【請求項１】
筋肉の痛みや腫脹等を感じる疾患部やこれに対応するツボに貼着させて疾患を治療する絆創膏において、貼着面の一部に、シリコン加工部を設けたことを特徴とする絆創膏。
【請求項２】
請求項１に記載の絆創膏において、前記シリコン加工部は、前記貼着面の周縁に沿って設けられる帯状粘着部を除いた範囲全域に設けられていることを特徴とする絆創膏。
【請求項３】
請求項１又は２に記載の絆創膏において、前記シリコン加工部は、離型紙の剥離表面から構成されていることを特徴とする絆創膏。
【発明の詳細な説明】
【技術分野】
【０００１】
本発明は、筋肉の疼痛等の疾患を治療するために該疾患部に被覆貼着させる絆創膏に関するものである。
【背景技術】
【０００２】
捻挫や打撲等の疾患により、痛み、腫脹、運動制限等が生じた時、知覚神経の興奮が起こり、それが脊髄を介して脳へ伝わり、脳で痛みを認識する。これと同時に、運動神経及び交感神経が興奮し、運動神経の興奮により筋肉の緊張が増大すると共に、交感神経の興奮により血管が収縮する。これら作用により、患部組織に血行不良が生じる。血行不良が生じると、患部に発痛物質の生成が促進され、これが知覚神経を刺激し、知覚神経が、再度、興奮する（図５参照）。こうして、痛みは悪循環していく。この痛みの悪循環を絶たなければ、痛みは何度も繰り返し、治癒しにくいものとなる。
そこで、血行不良から生じた前記発痛物質の生成によって、知覚神経が刺激されたときに、患部に適切なテーピング療法等を行うことにより、知覚神経の興奮を抑えることが出来る。知覚神経の興奮を抑えることが出来れば、痛みは軽減し、それを繰り返すことにより、痛みは消失し、上記した痛みの悪循環を断ち切ることが出来る。
【０００３】
テーピング療法とは、テープ、所謂、所定の幅及び長さの絆創膏を疾患部に貼着させることにより、疾患部に対する触覚・圧覚を刺激する刺激療法の一つであり、治療効果は、ゲートコントロール理論，軸索反射及び体性・自律反射の理論等で説明される。
テーピング療法に使用する従来の絆創膏は、単純な無孔シートの裏面に粘着剤を塗布したもので、筋肉等の疾患部やその働きをコントロールするツボに貼付して使用される。絆創膏を貼付することにより、テーピングの持つ筋膜保護作用と触覚刺激により、上記疾患部やこれに関連するツボは保護されると共に刺激され、これらの部分に掛る負担が緩和されると共に、自然治癒力による治癒現象の円滑な進行が促進される。
【特許文献１】特開平５−２８５１６９号公報
【非特許文献１】田中信孝著「スパイラル・テーピング−検査法からその実際まで−」株式会社メディカルプレス発行
【非特許文献２】田中信孝著「スパイラル・バランス療法」株式会社メディカルプレス発行
【発明の開示】
【発明が解決しようとする課題】
【０００４】
しかしながら、上記従来の絆創膏では治療効果が未だ不十分であるという問題があった。それは、上記従来の絆創膏では、絆創膏の裏面全域に粘着剤が塗布されていることから、貼着部は、全域的に、同じ皮膚触感で且つ同じ大きさの力学的負担が作用することとなるからである。  
このように、従来の絆創膏では、結局、疾患部に貼着させて疾患部を保護する働きしか期待できないものとなり、治癒現象を積極的に促進することができないから、治療効果が不十分なものであった。
本発明は上記の点に鑑みて成されたもので、『筋肉の痛みや腫脹等を感じる疾患部やこれに対応するツボに貼着させて疾患を治療する絆創膏』において、積極的に治癒現象を促進する治療効果の高い絆創膏を提供することを課題とする。
【課題を解決するための手段】
【０００５】
(１)上記課題を解決する為の請求項１に係る発明の技術的手段は、『貼着面の一部に、シリコン加工部を設けた』ことである。
上記技術的手段は次のように作用する。
絆創膏は、既述従来のものと同様に、疾患部等の被貼着部を保護する態様で貼着されるが、その貼着面には、シリコン加工部が設けられていることから、前記被貼着部には、シリコン加工部が対応することとなる。シリコン加工部は、シリコン樹脂が塗布されて、つるつるした平滑面が形成されていることから、前記被貼着部のうち、前記シリコン加工部によって被覆されている部分には、前記平滑面の滑らかな触感が刺激として与えられる。人間にとって触覚は日常生活に欠かせない重要な感覚であり、生物の本能に結びついた最も原始的な感覚である。そして、快・不快など感性的な影響による脳への刺激も、他の感覚に比べて極めて大きいことも知られている。シリコン樹脂のようなつるつるした触覚刺激は、ざらざらした粗面やべたべたした粘着面等よりも、一般に、心地よいものとして捉えられ易く、脳へ快刺激となって伝わる。この快刺激によって、免疫機能を活性化させたり、心身のバランスを良い状態に保ったりすることができる。その結果、知覚神経の過剰な刺激及び興奮を抑えることができるのである。
又、シリコン加工部は通気性に乏しいことから、被貼着部の熱は外部に発散されず、前記シリコン加工部と前記被貼着部との間に溜まることとなる。これにより、前記シリコン加工部によって被覆されている前記疾患部或いはそれに対応するツボ部分は保温されることとなる。
さらに、前記被貼着部に外傷等がある場合でも、シリコン加工部は前記外傷部分にくっつくことがない。
【０００６】
(２)請求項１に係る発明において、『前記シリコン加工部は、前記貼着面の周縁に沿って設けられる帯状粘着部を除いた範囲全域に設けられている』ものでは、前記粘着面の中央を含む広い範囲にシリコン加工部が形成されることとなり、被貼着部の殆ど全域を前記シリコン加工部で被覆させることができる。
【０００７】
(３)請求項１又は２に記載の絆創膏において、『前記シリコン加工部は、離型紙の剥離表面から構成されている』ものでは、裏面全域に貼着部が設けられている貼着シートの前記貼着面に、前記貼着シートよりも一回り小さな離型紙を、剥離表面が露出面となる態様で貼着させることにより構成される。尚、離型紙とは、少なくとも片面に、シリコン加工が施されて剥離表面が形成されているシートのことであり、前記剥離表面側に粘着ラベル等を剥離自在に貼着させることにより、一般に、粘着ラベルのセパレータとして使用されている。
【発明の効果】
【０００８】
以上のように、請求項１に係る発明によれば、疾患部或いはそれに対応するツボ部分をシリコン加工部で被覆させることにより、シリコンの滑らかな触覚刺激が快刺激として脳に伝えられて知覚神経の過剰な刺激及び興奮を抑えることが出来る上に、通気性のないシリコン加工部によって前記疾患部等が保温されることにより、血行がよくなることから、
従来の貼着シートのみからなる絆創膏に比べ、上述した痛みの悪循環を断ち切って、自然治癒現象を積極的に促進させて、痛みを早期に除去することができる治療効果の高い絆創膏を提供することができる。又、外傷のある部分にも貼着させることができるので、使用範囲が広がることとなる。
また、請求項２に係る発明によれば、絆創膏のうち、周縁部分を除いた殆ど全域を、シリコン加工部としたから、疾患部に対して、前記シリコン加工部による上記効果を十分に発揮させることができ、一層治療効果の高い絆創膏を提供することが出来る。
さらに、請求項３に係る発明によれば、粘着テープの粘着面に、別途用意された離型紙を、剥離表面が露出面となるように貼り付けるだけで、上記効果を有する絆創膏を容易に製作することができる。
【発明を実施するための最良の形態】
【０００９】
以下に、本発明を実施するための最良の形態について添付図面を参照しながら説明する。
図１は、本発明実施例の絆創膏の一例を示したもので、裏面全域に粘着剤が塗布された６５mm角の正方形の粘着シート(1)の前記裏面に、周囲にそれぞれ１０mmの帯状粘着部(11)を残して、４５mm角の正方形の離型紙(2)を貼着させたものである。前記離型紙(2)は、片方の面に、シリコン加工が施されて剥離表面(20)が形成されたシートであり、前記剥離表面(20)が形成されていない他方の面を、前記(1)の粘着面に貼着させることにより、剥離表面(20)の周囲に帯状粘着部(11)が形成された絆創膏が構成される。
この大きさの絆創膏を使用して行った比較テストを以下に示す。
【００１０】
この比較テストは、本発明の実施の形態で採用した上記絆創膏と、裏面全域に粘着剤層が露出した状態の従来の絆創膏（試験体１）と、前記離型紙(2)の代わりに、同大同形のティッシュペーパーを貼着させた絆創膏（試験体２）と、同様に、コピー用紙を貼着させた絆創膏（試験体３）とを用意し、それぞれを、１３名の被験者Ａ〜Ｍの左膝裂隙部内側に貼着して行った。
図２に示す表は、上記各種絆創膏をそれぞれ上記所定位置に貼着させた被験者Ａ〜Ｍにおいて、仰向けに寝かせた状態で、前記各絆創膏を貼った左足で持ち上げることの出来る重量を測定して、足関節背屈力の変化を記したものである。尚、被験者Ａ〜Ｍの各右覧には、各被験者の性別と年齢が記されている。
具体的には、図３に示すように、支持台(30)で斜めに支持された体重計(3)を、各種絆創膏を貼着させた足の先で裏側から押し上げて、前記体重計(3)を、その上方に設けられている押え台(31)に押し付けることにより得られた数値（kg）を、足関節背屈力として測定したものとする。数値が高いほど、左足への力の入り具合が良いということとなる。
尚、測定は、各絆創膏貼着後３０秒待機した後に行い、各試験は、それぞれ３分間隔で、試験体１、試験体２、試験体３、最後に、本発明実施の形態の絆創膏の順に行った。
【００１１】
図２の表から明らかなように、被験者Ｇ及びＪを除く１１名の被験者において、本発明の絆創膏を貼着した状態での測定結果において最も高い数値が得られた。すなわち、試験が実施されたのが最後であったにもかかわらず、離型紙(2)を具備させた本発明の実施の形態の絆創膏を貼着した時が、最も左足に力が入れ易くなり、足関節背屈力の向上が認められたということが言える。
そして、本発明の絆創膏を除いた残りの試験体１、２及び３を比較した場合において、最高値を示したのは、試験体１が５名、試験体２が７名、試験体３が６名であり（同値を含む）、三者に顕著な差異は見出せなかった。これらに比べて、本発明の実施の形態の絆創膏は、１１名において最高値を得ることが出来たことを勘案すると、離型紙を貼着させた絆創膏は、貼着シートのみの絆創膏、又は、他の用紙を貼着させた絆創膏に比べて、力が入れ易いという効果がある、言い換えれば、痛み、運動制限、腫脹がある人に対しては治療効果の高い絆創膏を提供することが出来るということが立証できたと言える。
尚、上記実施の形態の絆創膏では、正方形の粘着シート(1)の中央に、同じ正方形の離型紙(2)を設ける構成としたが、粘着シート(1)及び離型紙(2)の寸法及び形状は限定されることはなく、人体に貼着可能であれば、帯状粘着部(11)の幅をもっと狭くしても、又は、帯状粘着部(11)を粘着シート(1)の対向する二辺にのみ設ける構成としても良い。
【００１２】
さらには、図４に示すように、裏面に粘着剤が塗布された長尺テープ(10)の粘着面に、それよりも狭い幅の離型紙(2)からなるテープを、長手方向に沿って設ける構成としても良い。この場合、離型紙(2)の両長辺に沿って、帯状粘着部(11)が形成される態様となり、これら帯状粘着部(11)は、セパレータ(21)によって被覆させて、巻き取られた構成としておけば良い。
この実施の形態のテープでは、従来のテーピングと同様に、人体に巻回させた状態に貼着させて使用することができる。尚、この長尺テープ(10)の幅も治療に応じて適宜設定することができる。
上記実施の形態では、粘着テープ(1)の粘着面に離型紙を貼着させることによって、剥離表面(20)と、帯状粘着部(11)とを具備する本願発明の実施の形態の絆創膏を構成したが、前記粘着面に直接シリコン加工部を形成してもよく、又、非粘着シートの片面に、帯状粘着部(11)と剥離表面(20)とを同時に設ける構成としても良いことは言うまでもない。
【図面の簡単な説明】
【００１３】
【図１】本発明実施の形態の絆創膏の説明図。
【図２】本発明実施の形態の絆創膏を貼着した場合と他の形式の絆創膏を貼着した場合との足関節背屈力の変化を記した比較テストの結果を記す表。
【図３】比較テストの実施方法を示す説明図。
【図４】本発明の他の実施の形態の絆創膏の説明図。
【図５】痛みの悪循環を示す図式表。
【符号の説明】
【００１４】
(1) ・・・・粘着シート
(11)・・・・帯状粘着部
(2) ・・・・離型紙（シリコン加工部）
【図１】
2005348766.tif 000003
【図２】
2005348766.tif 000004
【図３】
2005348766.tif 000005
【図４】
2005348766.tif 000006
【図５】
2005348766.tif 000007